(57)【要約】【課題】蓄積された楽曲の中からいわゆる名曲といわれる楽曲を検索する楽曲再生装置および楽曲再生方法を提供すること。【解決手段】オーディオ装置１は、複数の楽曲のそれぞれを再生するための再生データを蓄積するＳＤメモリカード２２と、ＳＤメモリカード２２に再生データが蓄積された複数の楽曲のそれぞれについて、同じ楽曲で収録の仕方が異なる楽曲が存在するか否かを判定する楽曲判定部１２と、同じ楽曲で収録の仕方が異なる楽曲が存在する旨の判定がなされたときに、対応する楽曲を再生対象として決定する再生対象楽曲決定部１４と、再生対象楽曲決定手部１４によって再生対象として決定された楽曲に対応する再生データをＳＤメモリカード２２から読み出して、この楽曲を再生する楽曲再生処理部１６、オーディオ処理部４０とを備える。【選択図】図１
2017041195.tif 000002
【特許請求の範囲】
【請求項１】
複数の楽曲のそれぞれを再生するための再生データを蓄積する楽曲蓄積手段と、
前記楽曲蓄積手段に再生データが蓄積された前記複数の楽曲のそれぞれについて、同じ楽曲で収録の仕方が異なる楽曲が存在するか否かを判定する楽曲判定手段と、
同じ楽曲で収録の仕方が異なる楽曲が存在する旨の判定が前記楽曲判定手段によってなされたときに、対応する楽曲を再生対象として決定する再生対象楽曲決定手段と、
前記再生対象楽曲決定手段によって再生対象として決定された楽曲に対応する再生データを前記楽曲蓄積手段から読み出して、この楽曲を再生する楽曲再生手段と、
を備えることを特徴とする楽曲再生装置。
【請求項２】
請求項１において、
前記楽曲判定手段は、同じ楽曲が収録された複数のアルバムが存在するときに、同じ楽曲で収録の仕方が異なる楽曲が存在する旨の判定を行うことを特徴とする楽曲再生装置。
【請求項３】
請求項２において、
前記複数のアルバムには、同じ楽曲が収録されたオリジナルアルバム、コンピレーションアルバム、オムニバスアルバム、カバーアルバムの中の少なくとも２つが含まれることを特徴とする楽曲再生装置。
【請求項４】
請求項１〜３のいずれか一項において、
過去に発売された複数の楽曲が収録されたアルバムに関する情報が格納されたアルバム情報格納手段をさらに備え、
前記楽曲判定手段は、前記アルバム情報格納手段に格納された情報に基づいて、同じ楽曲で収録の仕方が異なる楽曲が存在するか否かを判定することを特徴とする楽曲再生装置。
【請求項５】
請求項１〜３のいずれか一項において、
過去に発売された複数の楽曲が収録されたアルバムに関する情報が格納されたアルバム情報格納手段が通信回線を介して接続されており、
前記楽曲判定手段は、前記アルバム情報格納手段に格納された情報に基づいて、同じ楽曲で収録の仕方が異なる楽曲が存在するか否かを判定することを特徴とする楽曲再生装置。
【請求項６】
楽曲蓄積手段に再生データが蓄積された前記複数の楽曲のそれぞれについて、同じ楽曲で収録の仕方が異なる楽曲が存在するか否かを、楽曲判定手段によって判定する楽曲判定ステップと、
同じ楽曲で収録の仕方が異なる楽曲が存在する旨の判定が前記楽曲判定手段によってなされたときに、対応する楽曲を再生対象として、再生対象楽曲決定手段によって決定する再生対象楽曲決定ステップと、
前記再生対象楽曲決定手段によって再生対象として決定された楽曲に対応する再生データを前記楽曲蓄積手段から読み出して、楽曲再生手段によってこの楽曲を再生する楽曲再生ステップと、
を有することを特徴とする楽曲再生方法。
【発明の詳細な説明】
【技術分野】
【０００１】
本発明は、蓄積された複数の楽曲の中からいわゆる名曲といわれる楽曲を検索して再生する楽曲再生装置および楽曲再生方法に関する。
【背景技術】
【０００２】
従来から、利用者が入力したキーワードを用いて利用者の好みの楽曲を検索し、再生リストを作成するようにした装置が知られている（例えば、特許文献１、２参照。）。これらの装置では、利用者自身がキーワードを指定しているため、利用者の嗜好に合った楽曲を選択することができる。
【先行技術文献】
【特許文献】
【０００３】
【特許文献１】特開２００６−３３１５９８号公報
【特許文献２】特開２０１２−２２１０１５号公報
【発明の概要】
【発明が解決しようとする課題】
【０００４】
ところで、最近では、ハードディスク装置や半導体メモリなどの記憶容量の増大に伴って、蓄積可能な楽曲数が膨大な数になっており、音楽配信サーバからダウンロードする楽曲数やリッピングによって取り込む楽曲数も急激に増える傾向にある。このため、上述した特許文献１、２に開示された装置等の手法を用いて楽曲の再生リストを作成して楽曲の再生を行うと、利用者の好みを反映していない楽曲については、例え名曲といわれるような楽曲であっても選択されず、再生対象にならないという問題があった。しかし、例えば何人ものアーティストがカバーしているような楽曲は、多数の利用者がいいと感じる場合が多いため、一度聴く価値があると考えられる。
【０００５】
本発明は、このような点に鑑みて創作されたものであり、その目的は、蓄積された楽曲の中からいわゆる名曲といわれる楽曲を検索する楽曲再生装置および楽曲再生方法を提供することにある。
【課題を解決するための手段】
【０００６】
上述した課題を解決するために、本発明の楽曲再生装置は、複数の楽曲のそれぞれを再生するための再生データを蓄積する楽曲蓄積手段と、楽曲蓄積手段に再生データが蓄積された複数の楽曲のそれぞれについて、同じ楽曲で収録の仕方が異なる楽曲が存在するか否かを判定する楽曲判定手段と、同じ楽曲で収録の仕方が異なる楽曲が存在する旨の判定が楽曲判定手段によってなされたときに、対応する楽曲を再生対象として決定する再生対象楽曲決定手段と、再生対象楽曲決定手段によって再生対象として決定された楽曲に対応する再生データを楽曲蓄積手段から読み出して、この楽曲を再生する楽曲再生手段とを備えている。
【０００７】
また、本発明の楽曲再生方法は、楽曲蓄積手段に再生データが蓄積された複数の楽曲のそれぞれについて、同じ楽曲で収録の仕方が異なる楽曲が存在するか否かを、楽曲判定手段によって判定する楽曲判定ステップと、同じ楽曲で収録の仕方が異なる楽曲が存在する旨の判定が楽曲判定手段によってなされたときに、対応する楽曲を再生対象として、再生対象楽曲決定手段によって決定する再生対象楽曲決定ステップと、再生対象楽曲決定手段によって再生対象として決定された楽曲に対応する再生データを楽曲蓄積手段から読み出して、楽曲再生手段によってこの楽曲を再生する楽曲再生ステップとを有している。
【０００８】
いわゆる「名曲」といわれる楽曲は、収録の仕方を変えて何度も発売されている場合が多い。したがって、蓄積された楽曲の中から、同じ楽曲であって他に収録の仕方を変えた楽曲が存在するものを抽出して再生対象とすることにより、利用者の嗜好に関係なく一般に名曲といわれる楽曲を検索して再生することが可能となる。
【０００９】
また、上述した楽曲判定手段は、同じ楽曲が収録された複数のアルバムが存在するときに、同じ楽曲で収録の仕方が異なる楽曲が存在する旨の判定を行うことが望ましい。特に、同じ楽曲が収録された複数のアルバムが存在するときに、同じ楽曲で収録の仕方が異なる楽曲が存在する旨の判定を行うことにより、判定基準を明確にすることによる処理の簡略化が可能となる。
【００１０】
また、上述した複数のアルバムには、同じ楽曲が収録されたオリジナルアルバム、コンピレーションアルバム、オムニバスアルバム、カバーアルバムの中の少なくとも２つが含まれることが望ましい。これにより、収録の仕方を変えた楽曲を容易に見つけることができる。
【００１１】
また、過去に発売された複数の楽曲が収録されたアルバムに関する情報が格納されたアルバム情報格納手段をさらに備え、楽曲判定手段は、アルバム情報格納手段に格納された情報に基づいて、同じ楽曲で収録の仕方が異なる楽曲が存在するか否かを判定することが望ましい。あるいは、過去に発売された複数の楽曲が収録されたアルバムに関する情報が格納されたアルバム情報格納手段が通信回線を介して接続されており、楽曲判定手段は、アルバム情報格納手段に格納された情報に基づいて、同じ楽曲で収録の仕方が異なる楽曲が存在するか否かを判定することが望ましい。これにより、市販された多くのアルバムに基づいて、同じ楽曲で収録の仕方が異なる楽曲が存在するか否かの判定を行うことができ、確実に名曲といわれる楽曲を探すことが可能となる。特に、通信回線を介して取得した情報を用いる場合には、最新の内容に更新された情報を用いることが可能となるため、判定精度を上げることができる。
【図面の簡単な説明】
【００１２】
【図１】一実施形態のオーディオ装置の構成を示す図である。
【図２】ＳＤメモリカードに記録された楽曲の中から名曲を抽出して名曲リストを作成する動作手順を示す流れ図である。
【図３】名曲リストを用いて楽曲の再生を行う動作手順を示す流れ図である。
【図４】オーディオ装置の変形例を示す図である。
【発明を実施するための形態】
【００１３】
以下、本発明の楽曲再生装置を適用した一実施形態のオーディオ装置について、図面を参照しながら説明する。図１は、一実施形態のオーディオ装置１の構成を示す図である。このオーディオ装置１は、例えば車両に搭載されている。
【００１４】
図１において、オーディオ装置１は、制御部１０、ＳＤ（Secure Digital）インタフェース部（ＳＤ  Ｉ／Ｆ）２０、ＣＤＤＢ（Compact Disc DataBase）３０、オーディオ処理部４０、増幅器４２、表示処理部５０、操作部６０を備えている。
【００１５】
制御部１０は、オーディオ装置１の全体を制御する。制御部１０の詳細については後述する。ＳＤインタフェース部２０は、外部の記録メディアとしてのＳＤメモリカード２２との間で信号の入出力を行うためのものであり、ＳＤカードスロットとＳＤホストコントローラが含まれる。ＳＤメモリカード２２には、複数の楽曲のそれぞれについて、再生データと各種の属性情報とを含む楽曲情報が記録されている。例えば、属性情報には、楽曲のアーティスト、タイトル、作曲者、収録アルバム、アルバムのアーティスト、発売年月日などが含まれる。この属性情報に基づいて、後述する楽曲判定部１２による判定が行われる。
【００１６】
ＣＤＤＢ３０は、音楽ＣＤのアーティスト名、アルバム名、収録楽曲数や各楽曲名、演奏時間長などの過去に発売された多くの音楽ＣＤ（アルバム）に関する情報を収めたデータベースである。この情報には、ＳＤメモリカード２２に蓄積された各楽曲の属性情報も含まれる。
【００１７】
オーディオ処理部４０は、制御部１０によってＳＤメモリカード２２から読み出される再生データを用いて楽曲の再生を行うためのものであり、データ形式毎の音声復号処理等を行ってオーディオ信号を出力する。このオーディオ信号は、増幅器４２によって増幅され、スピーカ４４から出力される。なお、実際には、２チャンネルあるいはそれ以上のチャンネル数のオーディオ信号が再生されて出力されるが、図１に示す構成では、簡略化して１つの増幅器４２と１つのスピーカ４４が図示されている。
【００１８】
表示処理部５０は、再生対象となる楽曲やプレイリストを選択する操作画面や、再生中の楽曲に関する情報（付属情報）を表示するためのものであり、制御部１０によって作成されたこれらの画像をＬＣＤ等で構成される表示装置５２に表示する。操作部６０は、利用者による各種操作を受け付けるためのものであり、各種のスイッチや操作つまみ等が備わっている。なお、表示装置５２の画面に重ねて配置されるタッチパネルを用いて操作部６０を構成したり、リモートコントロールユニット等を用いて操作部６０を構成するようにしてもよい。
【００１９】
次に、制御部１０について説明する。図１に示すように、制御部１０は、楽曲判定部１２、再生対象楽曲決定部１４、楽曲再生処理部１６を含んで構成されている。
【００２０】
楽曲判定部１２は、ＳＤメモリカード２２に再生データが蓄積された複数の楽曲のそれぞれについて、同じ楽曲で収録の仕方が異なる楽曲が存在するか否かを判定する。具体的には、楽曲判定部１２は、同じ楽曲が収録された複数のアルバムが存在するときに、同じ楽曲で収録の仕方が異なる楽曲が存在する旨の判定を行う。例えば、判定の基準となる複数のアルバムには、同じ楽曲が収録されたオリジナルアルバム、コンピレーションアルバム、オムニバスアルバム、カバーアルバムの中の少なくとも２つが含まれる。本実施形態では、このような複数のアルバムに収録されている楽曲を「名曲」と称している。
【００２１】
再生対象楽曲決定部１４は、同じ楽曲で収録の仕方が異なる楽曲が存在する旨の判定が楽曲判定部１２によってなされたときに、対応する楽曲を再生対象として決定する。再生対象楽曲決定部１４は、このようにして次々に再生対象として決定された楽曲を含む名曲リストを作成する。この名曲リストは、例えば、再生対象として決定された順番がそのまま再生順番に設定されたプレイリストである。なお、名曲リスト内での再生順番は、利用者が操作部６０を用いて編集することができる。
【００２２】
楽曲再生処理部１６は、再生対象楽曲決定部１４によって再生対象として決定された楽曲に対応する楽曲データを名曲リストの順番でＳＤメモリカード２２から読み出して、この楽曲をオーディオ処理部４０を用いて再生する。
【００２３】
上述したＳＤメモリカード２２が楽曲蓄積手段に、楽曲判定部１２が楽曲判定手段に、再生対象楽曲決定部１４が再生対象楽曲決定手段に、楽曲再生処理部１６、オーディオ処理部４０が楽曲再生手段に、ＣＤＤＢ３０がアルバム情報格納手段にそれぞれ対応する。
【００２４】
本実施形態のオーディオ装置１はこのような構成を有し、次に、ＳＤメモリカード２２に記録された楽曲の中から名曲を抽出して名曲リストを作成したり、この名曲リストを用いた楽曲の再生を行う動作を説明する。
【００２５】
図２は、ＳＤメモリカード２２に記録された楽曲の中から名曲を抽出して名曲リストを作成する動作手順を示す流れ図である。楽曲判定部１２は、名曲リストの作成が利用者によって指示されたか否かを判定する（ステップ１００）。指示がない場合には否定判断が行われ、この判定が繰り返される。また、利用者によって操作部６０が操作されて名曲リストの作成が指示されると、ステップ１００の判定において肯定判断が行われる。
【００２６】
次に、楽曲判定部１２は、ＳＤメモリカード２２から一の楽曲（着目楽曲）に対応する楽曲情報（付属情報）を読み出すとともに（ステップ１０２）、ＣＤＤＢ３０を検索し（ステップ１０４）、着目楽曲と同じ楽曲で収録の仕方が異なる楽曲があるか否かを判定する（ステップ１０６）。該当する楽曲が存在しない場合には否定判断が行われる。次に、楽曲判定部１２は、ＳＤメモリカード２２に記録された未処理の他の楽曲があるか否かを判定する（ステップ１０８）。他の楽曲がある場合には肯定判断が行われ、ステップ１０２に戻って次の楽曲について同様の処理が行われる。
【００２７】
着目楽曲と同じ楽曲で収録の仕方が異なる楽曲がある場合には、ステップ１０６の判定において肯定判断が行われる。次に、再生対象楽曲決定部１４は、着目楽曲を名曲リストに追加（着目楽曲が１曲目の場合には新たに作成）する（ステップ１１０）。その後、ステップ１０８に移行して未処理楽曲の有無判定が行われる。
【００２８】
また、ＳＤメモリカード２２に記録されている全ての楽曲について処理が終了すると、ステップ１０８の判定において否定判断が行われ、名曲リスト作成に関する一連の処理が終了する。
【００２９】
図３は、名曲リストを用いて楽曲の再生を行う動作手順を示す流れ図である。楽曲再生処理部１６は、再生対象としての名曲リストが利用者によって選択されたか否かを判定する（ステップ２００）。利用者による選択指示がない場合には否定判断が行われ、この判定が繰り返される。また、利用者によって操作部６０が操作されて名曲リストが選択されると、ステップ２００の判定において肯定判断が行われる。
【００３０】
次に、楽曲再生処理部１６は、再生が指示されたか否かを判定する（ステップ２０２）。利用者による再生指示がない場合には否定判断が行われ、この判定が繰り返される。また、利用者によって操作部６０が操作されて名曲リストを用いた再生が指示されると、ステップ２０２の判定において肯定判断が行われる。
【００３１】
次に、楽曲再生処理部１６は、名曲リストから次の再生対象となる楽曲を特定するとともに（ステップ２０４）、この楽曲の再生データをＳＤメモリカード２２から読み出してオーディオ処理部４０に送ってこの楽曲の再生を行う（ステップ２０６）。この楽曲の再生終了後、楽曲再生処理部１６は、名曲リスト中に未再生の他の楽曲があるか否かを判定する（ステップ２０８）。他の楽曲がある場合には肯定判断が行われ、ステップ２０４に戻って次の楽曲の再生動作が継続される。また、未再生の他の楽曲がない場合にはステップ２０８の判定において否定判断が行われ、名曲リストを用いた一連の再生動作が終了する。
【００３２】
いわゆる「名曲」といわれる楽曲は、収録の仕方を変えて何度も発売されている場合が多い。本実施形態のオーディオ装置１では、蓄積された楽曲の中から、同じ楽曲であって他に収録の仕方を変えた楽曲が存在するものを抽出して再生対象とすることにより、利用者の嗜好に関係なく一般に名曲といわれる楽曲を検索して再生することが可能となる。
【００３３】
特に、同じ楽曲が収録された複数のアルバムが存在するときに、同じ楽曲で収録の仕方が異なる楽曲が存在する旨の判定を行うことにより、判定基準を明確にすることによる処理の簡略化が可能となる。
【００３４】
また、上述した複数のアルバムとして、同じ楽曲が収録されたオリジナルアルバム、コンピレーションアルバム、オムニバスアルバム、カバーアルバムの中の少なくとも２つを含めることにより、収録の仕方を変えた楽曲を容易に見つけることができる。
【００３５】
また、ＣＤＤＢ３０を備えることことにより、市販された多くのアルバムに基づいて、同じ楽曲で収録の仕方が異なる楽曲が存在するか否かの判定を行うことができ、確実に名曲といわれる楽曲を探すことが可能となる。
【００３６】
なお、本発明は上記実施形態に限定されるものではなく、本発明の要旨の範囲内において種々の変形実施が可能である。例えば、上述した実施形態では、オーディオ装置１内にＣＤＤＢ３０を備えたが、インターネット等の通信回線経由で接続された特定のサーバ等に備わったＣＤＤＢ３０から最新の情報を取得するようにしてもよい。
【００３７】
図４は、オーディオ装置の変形例を示す図である。図４に示すオーディオ装置１Ａは、図１に示したオーディオ装置１に対して、ＣＤＤＢ３０を通信部７０に置き換えた構成を有している。通信部７０は、サーバ３との間でインターネット等のネットワーク２を介して通信回線経由で各種データを送信あるいは受信するためのものであり、通信方式に応じた所定の処理を行う。サーバ３には、定期的に最新の内容に更新されるＣＤＤＢ３０が備わっている。オーディオ装置１Ａは、必要に応じてこのＣＤＤＢ３０から、過去に発売された多くの音楽ＣＤ（アルバム）に関する最新の情報を取得する。このように、通信回線を介して取得した情報を用いる場合には、最新の内容に更新された情報を用いることが可能となるため、判定精度を上げることができる。
【００３８】
また、上述した実施形態では、車両に搭載されたオーディオ装置１、１Ａについて説明したが、それ以外、例えば携帯オーディオ装置や室内に設置されたオーディオ装置などについても本発明を適用することができる。
【００３９】
また、上述した実施形態では、ＳＤメモリカード２２に再生データを含む楽曲情報を蓄積したが、ＳＤメモリカード２２の代わりに、あるいは、ＳＤメモリカード２２とともにＵＳＢメモリやハードディスク装置などの他の記憶装置を用いるようにしてもよい。
【産業上の利用可能性】
【００４０】
上述したように、本発明によれば、蓄積された楽曲の中から、同じ楽曲であって他に収録の仕方を変えた楽曲が存在するものを抽出して再生対象とすることにより、利用者の嗜好に関係なく一般に名曲といわれる楽曲を検索して再生することが可能となる。
【符号の説明】
【００４１】
１  オーディオ装置
１０  制御部
１２  楽曲判定部
１４  再生対象楽曲決定部
１６  楽曲再生処理部
２０  ＳＤ（Secure Digital）インタフェース部（ＳＤ  Ｉ／Ｆ）
２２  ＳＤメモリカード
３０  ＣＤＤＢ（Compact Disc DataBase）
４０  オーディオ処理部
５０  表示処理部
６０  操作部
【図１】
2017041195.tif 000003
【図２】
2017041195.tif 000004
【図３】
2017041195.tif 000005
【図４】
2017041195.tif 000006